(57)【特許請求の範囲】
【請求項１】
ランプの一端に突設した一対のランプピンを装着する開口を有するソケット本体と、前記ランプピンの側面に当接する板ばね状のランプピン接触ばね部と前記ランプピン接触ばね部の一端側に一体的に連続形成した電線接続端子部とを有して前記ソケット本体の内部に互いに略線対称な位置関係で対向配置した一対の導電端子とを備えたランプソケットにおいて、
前記ランプピン接触ばね部と前記電線接続端子部とは、前記ランプピン接触ばね部の一端からランプ装着時のばね変形方向に互いに反対向きに延出した連接部を介して連続形成され、
前記ソケット本体は、前記導電端子の前記ランプピン接触ばね部の他端部と前記電線接続端子部とを位置決めする位置決め部を内部に有し、さらに前記ランプピン接触ばね部の前記他端部はランプ装着時のばね変形方向と反対向きに突出する曲げ部を有し、前記位置決め部は前記曲げ部を嵌める位置決め溝を有することを特徴とするランプソケット。
【請求項２】
前記電線接続端子部は速結端子であり、前記速結端子の電線挿入部が互いに遠ざかるように離して配置した請求項１記載のランプソケット。
【請求項３】
前記ソケット本体の前面にランプ非装着状態では前記導電端子を覆い隠す回転子を回転可能に設け、この回転子の周縁部をソケット本体の前記位置決め部でガイドした請求項１記載のランプソケット。
【発明の詳細な説明】
【０００１】
【発明の属する技術分野】
この発明は、直管型蛍光灯用照明器具等に取付けられるランプソケットに関するものである。
【０００２】
【従来の技術】
従来、ソケット本体内に略線対称な位置関係で配置した一対の導電端子に、ランプピン接触ばね部と電線接続端子部を連続形成したはさみ込み型の蛍光灯ソケットは知られている（例えば実開平6-31096 号) 。
【０００３】
【発明が解決しようとする課題】
しかし、この従来例における導電端子はソケット本体内で位置決めされるが、ランプピン接触ばね部のランプ軸に対して垂直な方向の延長線上に電線接続部が設けられている。そのため、ランプピンを装着した時の導電端子への変形応力が電線接続端子部へ伝わり、またその逆に電線接続のとくに速結接続の場合、導電端子の電線接続端子部の変形応力がランプピン接触ばね部に伝わり、互いに干渉しあうために安定したランプピンの接触と電線の接続が得にくかった。
【０００４】
したがって、この発明の目的は、導電端子の各部分のばね変形による応力の影響がなく、安定したランプピンの接触と電線の接続を得ることができるランプソケットを提供することである。
【０００５】
【課題を解決するための手段】
請求項１記載のランプソケットは、ランプの一端に突設した一対のランプピンを装着する開口を有するソケット本体と、前記ランプピンの側面に当接する板ばね状のランプピン接触ばね部と前記ランプピン接触ばね部の一端側に一体的に連続形成した電線接続端子部とを有して前記ソケット本体の内部に互いに略線対称な位置関係で対向配置した一対の導電端子とを備えたランプソケットにおいて、
前記ランプピン接触ばね部と前記電線接続端子部とは、前記ランプピン接触ばね部の一端からランプ装着時のばね変形方向に互いに反対向きに延出した連接部を介して連続形成され、
前記ソケット本体は、前記導電端子の前記ランプピン接触ばね部の他端部と前記電線接続端子部とを位置決めする位置決め部を内部に有し、さらに前記ランプピン接触ばね部の前記他端部はランプ装着時のばね変形方向と反対向きに突出する曲げ部を有し、前記位置決め部は前記曲げ部を嵌める位置決め溝を有することを特徴とするものである。
【０００６】
請求項１記載のランプソケットによれば、導電端子のランプピン接触ばね部がランプ装着によりばね変形してもその変形を連接部で吸収して位置決め部で支持され電線接続部端子部へ変形荷重が伝わらない。また電線接続端子部への電線接続による変形応力がランプピン接触ばね部に伝わらないのでランプピンの接触に影響がなく、相互干渉がないので安定したランプピンの接触および電線の接続を得ることができる。
【０００７】
請求項２記載のランプソケットは、請求項１において、前記電線接続端子部が速結端子であり、前記速結端子の電線挿入部が互いに遠ざかるように離して配置したものである。
請求項２記載のランプソケットによれば、請求項１と同様な効果のほか、防水ソケットの場合にパッキンを設ける関係で速結端子の電線挿入部が離れている必要があるので、これに対応できる。
【０００８】
請求項３記載のランプソケットは、請求項１において、前記ソケット本体の前面にランプ非装着状態では前記導電端子を覆い隠す回転子を回転可能に設け、この回転子の周縁部をソケット本体の前記位置決め部でガイドしたものである。
請求項３記載のランプソケットによれば、請求項１と同様な効果のほか、回転子の組込みが容易になる。
【０００９】
【発明の実施の形態】
この発明の一実施の形態を図１から図９により説明する。すなわち、このランプソケットは、ソケット本体１と、導電端子２と、回転子３とを有する。
ソケット本体１は、ランプＬの一端に突設した一対のランプピンＰを装着する開口１４を有する。実施の形態では前面に防水リング（図示せず）のねじ込み用のねじ筒部１５を設けて、ねじ筒部１５により開口１４を形成し、ねじ筒部１５に開口１４に連通する切欠状のランプピン挿入溝４を形成している。またねじ筒部１５内の中央部に回転子取付け用の割り付き筒軸１６を設け、筒軸１６の先端に鍔状の爪部１０を設けている。ねじ筒部１５内に導電端子２の位置決め部１１１〜１１３を設けている。
【００１０】
一対の導電端子２は、ランプピンＰの側面に当接する板ばね状のランプピン接触ばね部２１とランプピン接触ばね部２１の一端側に一体的に連続形成した電線接続端子部２５とを有して、ソケット本体１の内部に互いに略線対称な位置関係で対向配置している。ランプピン接触ばね部２１と電線接続端子部２５とは、ランプピン接触ばね部２１の一端からランプ装着時のばね変形方向Ａに互いに反対向きに延出した連接部２４を介して連続形成され、ソケット本体１内に形成した位置決め部１１１〜１１３により位置決めされる。ランプピン接触ばね部２１は筒軸１６の周面に当接するもので、当接部には筒軸１６との間にランプピンＰを収納するように凹状にＵ字形に折曲し、電線接続端子部２５と反対側の先端受部２２に先端曲げ部２６を形成している。電線接続端子部２５は例えば速結端子であり、連接部２４に連続しランプピン接触ばね部２１に略平行な位置決め受部２３と、位置決め受部２３に直角に曲げるとともに速結部２８を切起こした端子部２５と、端子部２５よりさらに位置決め受部２３に平行に曲げた曲げ部２７とで略コ字形に連続形成している。端子部２５の速結部２８の電線挿入部２８ａは互いに遠く離れるように速結部２８の切起こし方向を決めて配置している。
【００１１】
導電端子２のランプピン接触ばね部２１の他端部と電線接続端子部２５とを位置決めする位置決め部１１１〜１１３がソケット本体１内に設けられている。位置決め部１１１は、ランプピン接触ばね部２１の電線接続端子部２５と反対側の先端受部２２がランプピンＰの装着時に回転支点となるように、先端曲げ部２６の突出量よりも幅を広く設定した端子挿入溝１１０の側部に設けている。位置決め部１１２は連接部２４を位置決めし、位置決め部１１３は電線接続端子部２５を位置決めする。これらの位置決め部１１１〜１１３により、導電端子２の先端受部２２が支持され、電線接続端子部２５は固定支持される。また受部２３はランプピン接触ばね部２１よりも広幅に形成してランプピン接触ばね部２１の延長線からずれた位置に電線接続端子部２５を設けており、電線接続端子部２５のほぼ延長線上で受部２３よりランプピン接触ばね部２１に平行に対向するように延出部１８を設け、延出部１８の側縁に取付片１９を直角に曲げ、取付片１９にねじ挿通孔２０を形成している。このねじ挿通孔２０を通してビス３７をソケット本体１にねじ込み取付片１９を固定している。図５から図７は電線３９をソケット本体１の電線挿入穴６から挿入し、先端３９ａを速結部２８に通すことにより速結接続した状態である。３６は取付部である。
【００１２】
回転子３は、ランプ非装着状態ではソケット本体１の前面に導電端子２を覆い隠すように回転可能に設け、この回転子３の周縁部をソケット本体１の位置決め部１１１、１１２によりガイドしている。実施の形態では、円板形であって周縁部に周壁３３を有し、中央部に筒軸１６に嵌合する円筒部３４を設け、円筒部３４に爪部１０に係止する抜止め部１１を形成している。またランプピン挿入溝４に回転子３の回転により整合してランプピンＰを回転装着位置に移動させるランプピン挿通溝５を周壁３３から前面部の円筒部３４に連続するように形成し、周壁３３に９０度間隔でランプピン挿通溝５を含む位置の３箇所に切欠状の係合凹部７を形成している。位置決め部１１１、１１２は回転子３の周壁３３の内周面をガイドするとともに、ソケット本体１の周方向９０度間隔でランプピン挿入溝４を含む４箇所にリブ状の係合片８を設け、係合片８を回転子３の周壁３３の内周面に摺接させ、この係合片８に係合凸部９を設け、係合凸部９を係合凹部７に係脱自在に係合するようにしている。このように、位置決め部１１１、１１２が係合片８とともに回転子３を組み込み後の回転時の回転子３のガイドとしても機能している。
【００１３】
この実施の形態では、ランプピンＰをランプピン挿入溝４から挿入したランプピンＰを回転装着位置に移動させた後図６および図７に示すように略９０度回転させてランプＬを装着する。
この実施の形態によれば、導電端子２のランプピン接触ばね部２１をランプピン装着時のばね変形方向Ａに突出形成した連接部２４を介して、電線接続端子部２５を連続形成し、ソケット本体１の位置決め部１１１〜１１３のそれぞれに対して、導電端子２の受部２２、２３にて、ランプ装着時にランプピン接触ばね部２１が受ける荷重を受けるように配置してあり、ランプ接触ばね部２１と電線接続端子部２５は略平行方向の上下に形成してあるためランプ装着により受部２２、２３を支点とし、ランプピン接触ばね部２１がＡ方向へたわんで変形するが、受部２２は自由端として位置決め部１１１に支持され、受部２３は連接部２４を介してコの字形に連続形成した電線接続端子部２５とともにソケット本体１側の位置決め部１１２により固定支持されており、その固定支持された部分に電線接続端子部２５が配置してあるためランプ装着時のばね変形による応力は受部２１、２３から連接部２４を介して位置決め部１１１、１１２へ伝わり、変形が連接部２４で吸収されるので、電線接続端子部２５を変形させない。
【００１４】
また、その逆に電線接続端子部２５へ電線３９を挿入した場合、速結部２８を変形させながら接続されるが、先述の構造のため電線挿入による端子部２５への応力はランプピン接触ばね部２１には影響を与えない。
このように、導電端子２のランプピン接触ばね部２１がランプ装着によりばね変形しても、電線接続部端子部２５へ変形荷重が伝わらないため電線の接続が安定する。接続する電線の太さにより、電線接続端子部２５の速結部２８の変形する荷重が異なっても、ランプピン接触ばね部２１へその変形荷重が伝わらないため、ランプピン接触ばね部２１に影響がなく、ランプピンＰの接触が安定する。また長く曲がった電線３９を挿入された時にも、電線３９の先端がランプピン接触ばね部２１に当たり動きを妨げることもない。ランプピン接触ばね部２１の変形による応力は、前述のようにソケット本体１側の位置決め部１１１、１１２だけに伝わりその他のソケット本体１の内面や回転子３等には干渉しない。
【００１５】
また電線接続端子部２５が速結端子であり、速結端子の電線挿入部２８ａが互いに遠ざかるように離して配置しているため、防水ソケットの場合にパッキンを設ける関係で速結端子の電線挿入部２８ａが離れている必要があることに対応できる。
さらにソケット本体１の前面にランプ非装着状態では導電端子２を覆い隠す回転子３を回転可能に設け、この回転子３の周縁部をソケット本体１の位置決め部１１１、１１２でガイドしたため、回転子３の組込みが容易になる。
【００１６】
導電端子２のランプピン接触ばね部２１の先端にランプ装着時のランプピン接触ばね部２１の動く方向と反対向きに曲げ部２６を切起こして、ソケット本体１の位置決め溝１１０に挿入するため、位置決め溝１１０が組立時のガイドとなり、入れやすく組立やすく、受部２２のエッジが位置決め溝１１０に当たらないのでランプピン接触ばね部２１が滑らかに動作し、ランプ装着時にランプピン接触ばね部２１が正しく動作する。また曲げ部２６により位置決め溝１１０内でのばね遊びが規制でき、位置決め溝１１０の幅を広くでき金型を丈夫にできる。
【００１７】
回転子３の筒軸１６の高さが導電端子２の上端より低く配置されるので、回転子組立時のガイド性がよい。組立工程で回転子３を筒軸１６に乗せただけの図９（ｂ）の仮保持状態で係合凹部７と係合凸部９との係合により回転子３の回り止め機能があるため、均一な組立状態にすることができる。回転子３から係合凹部７の一部７ａを図２に示すように突出させると、仮保持時の回転子３の傾きを少なく回転子３の筒軸１６への嵌め込みを安定して行なうようにできる。
【００１８】
【発明の効果】
請求項１記載のランプソケットによれば、導電端子のランプピン接触ばね部がランプ装着によりばね変形してもその変形を連接部で吸収して位置決め部で支持され電線接続部端子部へ変形荷重が伝わらない。また電線接続端子部への電線接続による変形応力がランプピン接触ばね部に伝わらないのでランプピンの接触に影響がなく、相互干渉がないので安定したランプピンの接触および電線の接続を得ることができる。
【００１９】
請求項２記載のランプソケットによれば、請求項１と同様な効果のほか、防水ソケットの場合にパッキンを設ける関係で速結端子の電線挿入部が離れている必要があるので、これに対応できる。
請求項３記載のランプソケットによれば、請求項１と同様な効果のほか、回転子の組込みが容易になる。
【図面の簡単な説明】
【図１】この発明の一実施の形態の回転子を外した状態の正面図である。
【図２】ランプソケットの分解斜視図である。
【図３】（ａ）は側面図、（ｂ）は正面図てある。
【図４】導電端子のそれぞれ異なる角度からみた斜視図である。
【図５】（ａ）は電線を接続した状態の回転子のある正面図、（ｂ）はその側面図である。
【図６】（ａ）は回転子を外した状態のランプピン装着前の正面図、（ｂ）はその断面図である。
【図７】（ａ）はランプピン装着状態の正面図、（ｂ）はその断面図である。
【図８】（ａ）は導電端子を取付けた状態の正面図、（ｂ）はその側面図、（ｃ）は回転子を設けた正面図である。
【図９】図８のＡ−Ａ′線断面図であり、（ａ）は回転子を分離した状態、（ｂ）は回転子を仮保持した状態、（ｃ）は回転子を組み込んだ状態である。
【符号の説明】
Ｌ    ランプ
Ｐ    ランプピン
１    ソケット本体
２    導電端子
３    回転子
１４    開口
２１    ランプピン接触ばね部
２４    連接部
２５    電線接続端子部
２８ａ    電線挿入部
１１１    位置決め部
１１２    位置決め部
１１３    位置決め部
【図１】
0003667994.tif 000002
【図２】
0003667994.tif 000003
【図３】
0003667994.tif 000004
【図４】
0003667994.tif 000005
【図５】
0003667994.tif 000006
【図６】
0003667994.tif 000007
【図７】
0003667994.tif 000008
【図８】
0003667994.tif 000009
【図９】
0003667994.tif 000010